(57)【特許請求の範囲】
【請求項１】
通信ケーブルの端部に設けられるモジュラプラグが差し込み可能な差込口を有し、前記モジュラプラグに形成された可動爪を変位させることにより前記差込口との係合解除し、前記モジュラプラグの前記差込口からの引抜を可能とするロック付パッチパネルであって、
前記差込口に対して進退可能に設けられ、前記差込口および前記差込口に差し込まれる前記モジュラプラグの前記可動爪を覆うことが可能な可動カバーと、
前記差込口および前記可動爪を覆った状態の前記可動カバーの前記進退方向の動きのロックまたはロック解除が可能なロック機構と、
を備え、
前記ロック機構は、前記差込口が空いている状態では、前記可動カバーによって前記差込口が覆われた状態でロックし、前記差込口に前記モジュラプラグを差し込んだ状態では、前記可動カバーによって前記モジュラプラグの前記可動爪が覆われた状態でロックし、
前記ロック機構は、ネットワーク側回線の前記差込口と前記ネットワーク側回線に対応する端末装置側回線の前記差込口にそれぞれに設けられており、操作具によって前記ネットワーク側回線のロック機構と前記端末装置側回線のロック機構とを同時に操作することが可能である、
ことを特徴とするロック付パッチパネル。
【請求項２】
前記操作具は、前記ネットワーク側回線と前記端末装置側回線とを中継するための建物で使用される鍵から構成されていることを特徴とする請求項１に記載のロック付パッチパネル。
【発明の詳細な説明】
【技術分野】
【０００１】
この発明は、通信ケーブル群を接続するためのパッチパネルに関し、とくに運用上のセキュリティを高めることが可能なパッチパネルに関する。
【背景技術】
【０００２】
ネットワークと端末装置との接続には、通信ケーブル群を接続するためのパッチパネルが用いられている。パッチパネルは、通信ケーブルの抜き差しだけで簡便に信号経路を選択できる利点があり、例えば電力供給事業者においては、ネットワーク側回線と端末装置側回線は、基本的に中継用（設備分界点）としてのパッチパネルを介して接続されている。
【０００３】
パッチパネルは、通信ケーブルの端部に設けられるモジュラプラグが差し込み可能な差込口を有しており、モジュラプラグに形成された可動爪を変位させることにより、可動爪と差込口との係合が解除され、モジュラプラグの差込口からの引抜が可能となっている。
【０００４】
従来から、ケーブルの心線接続部に関する技術として、周囲を覆う箱型の蓋体を備えるケーブルの心線接続部収納箱が知られている（例えば、特許文献１参照。）。このケーブルの心線接続部収納箱は、蓋体の全面に錠が取り付けられ、錠の内側にはロック片が取り付けられ、鍵によってロック片を回転させることで、蓋体をロックしたり外したりするものである。
【先行技術文献】
【特許文献】
【０００５】
【特許文献１】特開平１１−１４６５３０号公報
【発明の概要】
【発明が解決しようとする課題】
【０００６】
しかし、パッチパネルは、ケーブルの抜き差しに制約がないことから、盗聴などの被害が発生する可能性があり、セキュリティ上の問題がある。例えば、この被害が電力供給の制御系（ＴＣ等）回線に及ぶと、電力供給に大きく影響することになる。特許文献１の技術は、蓋体が外されるとすべての心線接続部が露出し、ケーブルを抜くことが可能となるので、セキュリティ上の問題を解決することが困難となる。
【０００７】
したがって、パッチパネルにおいて、運用上のセキュリティを高めるためには、モジュラプラグの抜き差しを制限することが必要となる。
【０００８】
そこで、この発明は、パッチパネルの差込口に対するモジュラプラグの抜き差しを制限し、運用上のセキュリティを高めることが可能なロック付パッチパネルを提供することを目的としている。
【課題を解決するための手段】
【０００９】
前記の課題を解決するために、請求項１に記載の発明は、通信ケーブルの端部に設けられるモジュラプラグが差し込み可能な差込口を有し、前記モジュラプラグに形成された可動爪を変位させることにより前記差込口との係合解除し、前記モジュラプラグの前記差込口からの引抜を可能とするロック付パッチパネルであって、前記差込口に対して進退可能に設けられ、前記差込口および前記差込口に差し込まれる前記モジュラプラグの前記可動爪を覆うことが可能な可動カバーと、前記差込口および前記可動爪を覆った状態の前記可動カバーの前記進退方向の動きのロックまたはロック解除が可能なロック機構と、を備え、前記ロック機構は、前記差込口が空いている状態では、前記可動カバーによって前記差込口が覆われた状態でロックし、前記差込口に前記モジュラプラグを差し込んだ状態では、前記可動カバーによって前記モジュラプラグの前記可動爪が覆われた状態でロックし、前記ロック機構は、ネットワーク側回線の前記差込口と前記ネットワーク側回線に対応する端末装置側回線の前記差込口にそれぞれに設けられており、操作具によって前記ネットワーク側回線のロック機構と前記端末装置側回線のロック機構とを同時に操作することが可能である、ことを特徴とするロック付パッチパネルである。
【００１０】
この発明によれば、差込口が空いている状態では、可動カバーによって差込口が覆われた状態でロックする。また、モジュラプラグが差込口に差し込まれた状態では、モジュラプラグの可動爪がロック可能な可動カバーで覆われるので、外部から可動爪を変位させることが不可能となり、パッチパネルの差込口からモジュラプラグを引抜くことができなくなる。このロック機構は、ネットワーク側回線の差込口とネットワーク側回線に対応する端末装置側回線の差込口にそれぞれに設けられており、操作具によってネットワーク側回線のロック機構と端末装置側回線のロック機構とが同時に操作される。
【００１２】
請求項２に記載の発明は、請求項１に記載のロック付パッチパネルにおいて、前記操作具は、前記ネットワーク側回線と前記端末装置側回線とを中継するための建物で使用される鍵から構成されていることを特徴としている。
【発明の効果】
【００１３】
請求項１に記載の発明によれば、可動カバーとロック機構によって、モジュラプラグの差込口への誤挿入と、モジュラプラグの差込口からの引抜きを制限することができるので、パッチパネルの運用上のセキュリティを高めることできる。
【００１４】
また、ネットワーク側回線のロック機構と端末装置側回線のロック機構とを同時に操作することができるので、モジュラプラグの抜き差し作業効率を高めることが可能となる。
【００１５】
請求項２に記載の発明によれば、操作具は、ネットワーク側回線と端末装置側回線とを中継するための建物で使用される鍵から構成されているので、複数の鍵を管理する必要がなくなり、管理に要するコストと手間とを削減できる。また、鍵の使用者が限定されるので、よりセキュリティを高めることができる。
【図面の簡単な説明】
【００１６】
【図１】この発明の実施の形態１に係るロック付パッチパネルへの通信ケーブルの差し込み開始前の状態を示す正面図である。
【図２】図１のロック付パッチパネルへの通信ケーブルの差し込み開始前の状態を示す断面図である。
【図３】図１のロック付パッチパネルへの通信ケーブルの差し込み直後の状態を示す正面図である。
【図４】図１のロック付パッチパネルへの通信ケーブルの差し込み直後の状態を示す断面図である。
【図５】図１のロック付パッチパネルのロック機構による可動カバーのロック状態を示す正面図である。
【図６】図１のロック付パッチパネルのロック機構による可動カバーのロック状態を示す断面図である。
【図７】この発明の実施の形態２に係るロック付パッチパネルの部分拡大正面図である。
【図８】図７のロック付パッチパネルの断面図である。
【図９】この発明の実施の形態３に係るロック付パッチパネルの部分拡大断面図である。
【図１０】この発明の実施の形態４に係るロック付パッチパネルの部分拡大正面図である。
【図１１】図１０のロック付パッチパネルへの通信ケーブルの差し込み開始前の状態を示す正面図である。
【図１２】図１０のロック付パッチパネルへの通信ケーブルの差し込み完了後の状態を示す正面図である。
【発明を実施するための形態】
【００１７】
以下、この発明を図示の実施の形態に基づいて説明する。
【００１８】
（実施の形態１）
図１ないし図６は、この発明の実施の形態１を示している。
【００１９】
ロック付パッチパネル１は、図２に示すように、例えば電力供給事業者におけるネットワーク側回線Ｎと端末装置側回線Ｃとを接続する中継用（設備分界点）として用いられている。図２に示すように、ロック付パッチパネル１は、通信ケーブル２００、２１０の抜き差しだけで簡便に信号経路を選択できるようになっている。ロック付パッチパネル１における端末装置側回線Ｃ側の構造は、ネットワーク側回線Ｎ側の構造に準じているので、この実施の形態１においては、ネットワーク側回線Ｎ側の構造についてのみ説明する。
【００２０】
ロック付パッチパネル１は、図１および図２に示すように、主として、差込口２と、可動カバー３と、ロック機構５とを有している。ロック付パッチパネル１のネットワーク側回線Ｎ側には、複数の差込口２が設けられており、各差込口２は水平方向に所定の間隔をもって配置されている。差込口２には、通信ケーブル２００の端部に設けられるモジュラプラグ２０１が差し込み可能となっている。モジュラプラグ２０１は、電気絶縁性を有する樹脂から構成されており、上部に弾性変形可能な可動爪２０２を有している。モジュラプラグ２０１は、例えばＩＳＤＮ回線で使用される８芯の通信ケーブルのコネクタに相当するものであり、通常ＲＪ−４５コネクタと呼ばれている。ロック付パッチパネル１では、通信ケーブル２００のモジュラプラグ２０１に形成された可動爪２０２を下方に変位させることにより、可動爪２０２と差込口２との係合が解除できるようになっており、モジュラプラグ２０１の差込口２からの引抜が可能となっている。
【００２１】
差込口２は、パネル１０１の前面に配設され、主として、外周壁２１と、開口部２２とを有している。開口部２２は、外周壁２１の内側に位置しており、モジュラプラグ２０１が進入可能な空間部に形成されている。図２に示すように、外周壁２１の内面には、モジュラプラグ２０１の端子２０１ａと接触可能な端子２１ａが形成されている。モジュラプラグ２０１が差込口２に差し込まれた状態では、モジュラプラグ２０１の端子（電気接点）２０１ａと差込口２の端子（電気接点）２１ａとが電気的に接続されるようになっている。外周壁２１の内面の上側には係合凸部２２ａが形成されている。係合凸部２２ａは、モジュラプラグ２０１の可動爪２０２と係合可能となっている。可動爪２０２が係合凸部２２ａと係合した状態では、差込口２からのモジュラプラグ２０１の引抜きが防止されるようになっている。
【００２２】
可動カバー３は、差込口２に対して進退可能に設けられ、差込口２に差し込まれるモジュラプラグ２０１の可動爪２０２を覆うことが可能となっている。可動カバー３は、カバー部３１と、スプリング３２と、支持軸３３と、ガイド孔３４と、支持枠３５とを有している。カバー部３１は、断面がコの字型に形成されており、パネル１０１の前面に対して、ガイド孔３４に沿って上下動可能に配設され、下方に位置する場合は、係合凸部２２ａの前面に位置するようになっている。スプリング３２は、基端側が支持枠３５に固定され、自由端側が支持軸３３に配設されることによりカバー部３１を上方に持ち上げるように配設され、係合凸部２２ａを含む開口部２２全体が露出した状態となるようになっている。支持軸３３は、逆Ｌ字型の棒状部材で、一端側がカバー部３１に固定されており、カバー部３１とともに上下動するようになっている。ガイド孔３４は、差込口２の上方に配設された長孔であり、ガイド孔３４に対してカバー部３３および支持軸３３が上下動可能に配設されている。
【００２３】
ロック機構５は、可動爪２０２を覆った状態の可動カバー３の進退方向の動きのロックまたはロック解除を行う機能を有している。すなわち、ロック機構５は、挿入される鍵４の操作によって可動カバー３の進退方向の動きをロックまたはロック解除する機能を有している。ロック機構５は、鍵穴５１と、可動軸５２と、ストッパ５３とを有している。鍵穴５１は、パネル１０１の前面に配設され、鍵４が挿入可能となっている。鍵穴５１の内部は、特定の鍵４の軸部４１の形状とのみ係合するように設定されている。可動軸５２は、一端側が鍵穴５１に固定され、鍵穴５１に挿入された鍵４が係合し、回動することによって回動するようになっている。可動軸５２の他端側には、板状部材で構成されたストッパ５３が配設され、支持軸３３の上端部３３ａと当接可能となっている。
【００２４】
ストッパ５３は、ロック状態、すなわち、鍵４が挿入され可動軸５２が回動した状態においては、略水平となり、支持軸３３の上端部３３ａと当接することにより、支持軸３３の上下動を規制する。ストッパ５３は、ロック解除状態、すなわち、可動軸５２が回動していない状態においては、支持軸３３に沿って平行に位置し、支持軸３３の上端部３３ａと当接しないため、支持軸３３は上下動可能となる。
【００２５】
ロック機構５を操作するための操作具は、ネットワーク側回線Ｎと端末装置側回線Ｃとを中継するための建物で使用される鍵４から構成されている。鍵４は、例えば当該建物の入退室用の鍵であり、立入（解錠）を許可された者にのみ貸し出され、建物ごとに異なる形状に設定されている。鍵４は、軸部４１の形状が鍵穴５１の形状と係合した場合にのみ、時計回り、反時計回りに回動可能となっている。そして、この鍵４の回動によって、ロック機構５のロック、ロック解除が可能となっている。この実施の形態１においては、ロック機構５を操作するために鍵４を用いているが、鍵４に代えてダイヤル操作などによる操作機能をロック機構５にもたせる構成としてもよい。
【００２６】
つぎに、実施の形態１におけるロック付パッチパネル１の操作方法および作用について説明する。
【００２７】
まず、ロック付パッチパネル１に通信ケーブル２００を取り付ける場合について説明する。図１および図２に示すように、カバー部３１は、スプリング３２によって上方に持ち上げられており、差込口２の係合凸部２２ａが露出した状態となっている。
【００２８】
まず、差込口２にモジュラプラグ２０１を差し込んで可動爪２０２を係合凸部２２ａに係合させる。
【００２９】
つぎに、図３および図４に示すように、カバー部３１が係合凸部２２ａの前面を覆う状態になるまで、カバー部３１を下方に引下げる。
【００３０】
そして、鍵４を挿入口５１に挿入し、時計回りに９０°回転させて、鍵４を引き抜く。そうすると、図５および図６に示すように、可動軸５２の回転によって、ストッパ５３が略水平となり、支持軸３３の上端３３ａが、ストッパ５３に当接したロック状態となる。つまり、支持軸３３の上下動が規制されることにより、カバー部３１の上下動も規制されたロック状態となる。
【００３１】
これにより、ロック付パッチパネル１に通信ケーブル２００を取り付けた後は、鍵４によってロックを解除しない限り、カバー部３１は可動が規制され、可動爪２０２は外部に露出しないために、可動爪２０２を変位させることができなくなる。つまり、通信ケーブル２００を引き抜くことができなくなるため、運用上のセキュリティを高めることできる。
【００３２】
つぎに、ロック付パッチパネル１から通信ケーブル２００を取り外す場合について説明する。図５および図６に示すように、カバー部３１は、差込口２の係合凸部２２ａを覆ってロック状態となっている。
【００３３】
まず、図３および図４に示すように、鍵４を挿入口５１に挿入し、半時計回りに９０°回転させて、鍵４を引き抜く。そうすると、可動軸５２の回転によって、ストッパ５３が支持軸３３と略平行となり、支持軸３３の上端３３ａは、ストッパ５３と当接しないロック解除状態となる。つまり、この状態ではロックが解除されて支持軸３３は上下動が規制されないので、カバー部３１も上下動が可能となる。
【００３４】
つぎに、図１および図２に示すように、カバー部３１がスプリング３２によって上方に持ち上げられ、係合凸部２２ａが露出する。このとき、カバー部３１が上方にスライドすると、支持軸３３は上方に移動する。そして、可動爪２０２を変位させて差込口２との係合を解除し、差込口２からモジュラプラグ２０１を引き抜く。
【００３５】
これにより、ロック付パッチパネル１から通信ケーブル２００の引き抜き時は、鍵４によってカバー部３１のロックが解除されると、カバー部３１が動いて可動爪２０２を変位させることが可能となる。
【００３６】
このようにして、鍵４によってロックを解除しない限りは、ロック付パッチパネル１から通信ケーブル２００を引き抜くことはできない。したがって、鍵４の使用が許可された者によって、ロック解除する必要があるため、ロック付パッチパネル１の運用上のセキュリティを高めることできる。
【００３７】
以上のように、このロック付パッチパネル１によれば、可動カバー３とロック機構５によって、モジュラプラグ２０１の差込口２からの引抜きを制限することができるので、ネットワーク側回線Ｎと端末装置側回線Ｃとを接続するパッチパネルの運用上のセキュリティを高めることできる。
【００３８】
また、鍵４は、ネットワーク側回線Ｎと端末装置側回線Ｃとを中継するための建物で使用される鍵から構成されているので、複数の鍵を管理する必要がなくなり、管理に要するコストと手間とを削減できる。また、鍵の使用者が限定されるので、よりセキュリティを高めることができる。
【００３９】
（実施の形態２）
図７および図８は、この発明の実施の形態２を示している。この実施の形態２では、可動カバー３のスプリング３２がカバー部３１を常に下方に押圧し、通常は係合凸部２２ａを覆っている点が、実施の形態１と異なる。このため、実施の形態１と同等の構成については、同一または対応する符号を付することで、その説明を省略する。後述する以下の実施の形態においても同様である。
【００４０】
このロック付パッチパネル１に通信ケーブル２００を取り付ける場合について説明する。カバー部３１は、スプリング３２によって下方に押圧されており、差込口２の係合凸部２２ａは、カバー部３１に覆われている。このとき、略水平に配設されているストッパ５３によって支持軸３３の可動が規制されることにより、カバー部３１がロックされたロック状態となっている。
【００４１】
まず、鍵４によってロックを解除し、カバー部３１を上方にスライドさせて係合凸部２２ａを露出させると、差込口２にモジュラプラグ２０１を差し込むことができるようになる。
【００４２】
そして、差込口２にモジュラプラグ２０１を差し込んで、カバー部３１から手を離すと、スプリング３２によって支持軸３３が下方に押し下げられ、カバー部３１がガイド孔３４下方にスライドし、係合凸部２２ａはカバー部３１で覆われる。ここで、鍵４によってロック状態とする。
【００４３】
つぎに、ロック付パッチパネル１から通信ケーブル２００を取り外す場合について説明する。
【００４４】
まず、鍵４によってロックを解除し、カバー部３１を上方にスライドさせ、係合凸部２２ａを露出させると、差込口２からモジュラプラグ２０１を引き抜くことができるようになる。
【００４５】
そして、差込口２からモジュラプラグ２０１を引き抜いて、カバー部３１から手を離すと、スプリング３２によって支持軸３３が下方に押し下げられ、カバー部３１がガイド孔３４下方にスライドし、係合凸部２２ａはカバー部３１で覆われる。ここで、鍵４によってロック状態とする。
【００４６】
この実施の形態２においては、空いている（通信ケーブル２００が差し込まれていない）差込口２も、係合凸部２２ａが覆われた状態でロックすることにより、鍵４によってロックを解除しない限りは、通信ケーブル２００を差し込むことができない。このため、過失や故意によって差込口２に通信ケーブル２００を誤挿入することを防止することができる。つまり、よりセキュリティを高めることができる。
【００４７】
（実施の形態３）
図９は、この発明の実施の形態３を示している。この実施の形態３では、ロック機構８、９が、実施の形態１のロック機構５と異なる。
【００４８】
ここでは、ネットワーク側回線Ｎのパネル１０１の前面に、差込口２の開口部２２と、可動カバー３のカバー本体３１と、ロック機構８の鍵穴８１とを有している。端末装置側回線Ｃのパネル１０２の前面に、差込口６の開口６２と、可動カバー７のカバー本体７１とを有している。差込口６は差込口２と、可動カバー７は可動カバー３と、ロック機構８はロック機構３と、同等の構成である。
【００４９】
ロック機構８、９は、ネットワーク側回線Ｎの差込口２と端末装置側回線Ｃの差込口６にそれぞれに設けられており、鍵４によってネットワーク側回線Ｎのロック機構８と端末装置側回線Ｃのロック機構９とを同時に操作することが可能である。ロック機構９は、可動軸９２と、ストッパ９３とを有し、可動軸９２はロック機構８の可動軸８２に固定されている。このため、挿入口８１に挿入された鍵４によって、ロック機構８、９の可動軸８２、９２は回動し、これにより、ロック機構８、９はともにロック、ロック解除されるようになっている。
【００５０】
この実施の形態３においては、ネットワーク側回線Ｎと端末装置側回線Ｃとのロック機構８、９を鍵４によって同時に操作することができるので、モジュラプラグ２０１、２１１の抜き差し作業効率を高めることが可能となる。
【００５１】
（実施の形態４）
図１０ないし図１２は、この発明の実施の形態４を示している。この実施の形態４では、図１０に示すように、可動カバー３００とロック機構が実施の形態１の可動カバー３とロック機構５と異なる。
【００５２】
可動カバー３００は、パネル１０１の前面に配設されており、カバー部３０１と、略扇型状の開口部３０２とから構成されている。この可動カバー３００は、差込口２に対して進退可能（回動可能）に設けられ、差込口２に差し込まれるモジュラプラグ２０１の可動爪２０２を覆うことが可能なものである。カバー部３０１は、パネル１０１の前面に対して、鍵穴３１０を中心に回動可能に配設され、係合凸部２２ａの前面を覆うように位置している。この可動カバー３００は、鍵穴３１０に係合する鍵４によって回動されるようになっており、図１０に示すように、鍵４によってロック解除すると、可動カバー３００が時計回りに所定角度、例えば略９０°回動する。そして、図１１に示すように、係合凸部２２ａが露出した状態となると、モジュラプラグ２０１が挿入可能となる。さらに、モジュラプラグ２０１を挿入した状態で、図１２に示すように、鍵４によって、可動カバー３００を反時計回りに所定角度、例えば略９０°回動させて、係合凸部２２ａを覆った状態とする。
【００５３】
以上、この発明の実施の形態について説明したが、具体的な構成は、これらの実施の形態に限られるものではなく、この発明の要旨を逸脱しない範囲の設計の変更等があっても、この発明に含まれる。例えば、上記の実施の形態では、ロック機構を操作する操作具を建物で使用される鍵４としたが、当該ロック付パッチパネル１の専用鍵や、専用工具としてもよい。また、差込口２およびモジュラプラグ２０１は、ＲＪ−４５コネクタと呼ばれる種類に限定されることはなく、他の種類のコネクタに相当するものであってもよい。
【符号の説明】
【００５４】
１              ロック付パッチパネル
２              差込口
３              可動カバー
４              鍵（操作具）
５              ロック機構
１０１          パネル
２００          通信ケーブル
２０１          モジュラプラグ
２０２          可動爪
Ｃ              端末装置側回線
Ｎ              ネットワーク側回線
【図１】
0005269149.tif 000002
【図２】
0005269149.tif 000003
【図３】
0005269149.tif 000004
【図４】
0005269149.tif 000005
【図５】
0005269149.tif 000006
【図６】
0005269149.tif 000007
【図７】
0005269149.tif 000008
【図８】
0005269149.tif 000009
【図９】
0005269149.tif 000010
【図１０】
0005269149.tif 000011
【図１１】
0005269149.tif 000012
【図１２】
0005269149.tif 000013